(57)【特許請求の範囲】
【請求項１】
上流側排水管の下端部に接続可能な管状体をなし該管状体の下端部に径方向外方に張出したフランジ部を形成したスリーブと、前記フランジ部と略同径の筒状体をなし下端部に下流側排水管の上端部に接続可能な管状部を有すると共に筒状体部の上端側外周面に螺合部を形成したケーシングと、短管状体の傾斜した管口に開閉可能な揺動弁体を設け且つ該揺動弁体を閉鎖方向に付勢するバランスウエイトを設けると共に上端部には径方向外方に張出し前記スリーブのフランジ部と略同径のフランジ部を形成した弁トラップユニットと、スリーブ管状体部を挿通可能な開口部を上端蓋部中央に有しその外周下側に連なる短円筒部にスリーブフランジ部及び弁トラップユニットフランジ部を収容可能であると共に該短円筒部下端内周面にケーシングの螺合部に対応する螺合部を形成したキャップとで構成され、
ケーシング上端縁に弁トラップユニットフランジ部を接合して弁トラップユニットをケーシング内に収容し、更に、弁トラップユニットフランジ部にスリーブフランジ部を重ね、スリーブ管状体部を上端開口部に挿通したキャップでスリーブフランジ部及び弁トラップユニットフランジ部を包覆した状態で、キャップの螺合部をケーシングの螺合部に螺合し、キャップ上端蓋部とケーシング上端縁の間にスリーブフランジ部と弁トラップユニットフランジ部とが挟持されるようにしてそれらを一体としたことを特徴とする排水用トラップ。
【請求項２】
スリーブフランジ部と弁トラップユニットフランジ部との間に、ケーシングまたは各フランジ部と略同径の筒状をなすスペーサを介在させた請求項１記載の排水用トラップ。
【発明の詳細な説明】
【０００１】
【発明の属する技術分野】
本発明は排水用トラップに関する。
【０００２】
【従来の技術】
従来、排水管には出口側からの悪臭や害虫等の侵入を防止する目的でＳ字トラップが設けられていたが、Ｓ字トラップは排水管の折曲部分に溜った排水の封鎖作用を利用するものであるため、折曲部分に常に一定量の排水が残留する上、固形物等が詰まり易い問題等を有していた。また、排水の頻度が低い場合にはトラップ内の排水が蒸発し封鎖作用が得られなくなる問題もあった。
【０００３】
そこで、Ｓ字トラップに代わり、揺動弁体にバランスウエイトを設け、排水が無い時はバランスウエイトによって揺動弁体を閉鎖し、排水時には該排水の重量或いは流水圧で弁体を開く弁トラップ（メカニカルトラップ）が開発されている（特許文献１参照）。この弁トラップは、残留排水が少なく機構的にシンプルであるため殆どメンテナンスを必要としないが、使用状況によっては、弁体と管口との接触部分に沿って付着残留した水垢等によって弁体が管口に密着し開閉性が悪化することがあり、そのような場合には、排水管からトラップを外して掃除などを行う必要があり、手間を要した。
【０００４】
この問題を解消するため、上下のケーシングと弁トラップユニットとを別体とし、弁トラップユニットのみを取り出せるようにしメンテナンスを容易に行えるようにすることが考えられた（特許文献２参照）。しかし、上下のケーシングと上下流各側排水管の端部を接着剤等により恒久的に接合される場合や、上下流各側排水管が構造物に恒久的に固定されている場合、弁トラップユニットを取り出すために排水管を切断したりすることになり、より簡単に着脱できる構成が望まれることとなった。
【０００５】
【特許文献１】
実公昭６３−２３４８９号公報
【特許文献２】
特許第３０００１２５号公報
【０００６】
【発明が解決しようとする課題】
本発明は従来の技術の上記の点に鑑みて、ケーシング内部から弁トラップユニットのみを容易に取り外してメンテナンスを行うことができる排水用トラップを提供することを目的としてなされたものである。
【０００７】
【課題を解決するための手段】
上記目的を達成するために、本発明の排水用トラップ（１）では、上流側排水管（１１）の下端部に接続可能な管状体をなし該管状体の下端部に径方向外方に張出したフランジ部（４１）を形成したスリーブ（４）と、前記フランジ部（４１）と略同径の筒状体をなし下端部に下流側排水管（１２）の上端部に接続可能な管状部（３１）を有すると共に筒状体部の上端側外周面に螺合部（３３）を形成したケーシング（３）と、短管状体（２１）の傾斜した管口（２２）に開閉可能な揺動弁体（２３）を設け且つ該揺動弁体には同弁体（２３）を閉鎖方向に付勢するバランスウエイト（２７）を設けると共に上端部には径方向外方に張出し前記スリーブのフランジ部（４１）と略同径のフランジ部（２８）を形成した弁トラップユニット（２）と、スリーブ管状体部を挿通可能な開口部（５２）を上端蓋部（５１）の中央に有しその外周下側に連なる短円筒部（５３）に前記スリーブフランジ部（４１）及び弁トラップユニットフランジ部（２８）を収容可能であると共に該短円筒部下端内周面にケーシング（３）の螺合部（３３）に対応する螺合部（５４）を形成したキャップ（５）とで構成され、
ケーシング（３）上端縁に弁トラップユニットフランジ部（２８）を接合して弁トラップユニット（２）をケーシング（３）内に収容し、更に、弁トラップユニットフランジ部（２８）にスリーブフランジ部（４１）を重ね、スリーブ管状体部を上端開口部（５２）に挿通したキャップ（５）でスリーブフランジ部（４１）及び弁トラップユニットフランジ部（２８）を包覆した状態で、キャップ（５）の螺合部（５４）をケーシング（３）の螺合部（３３）に螺合し、キャップ上端蓋部（５１）とケーシング上端縁（３２）の間にスリーブフランジ部（４１）と弁トラップユニットフランジ部（２８）とが挟持されるようにしてそれらを一体とした。
また、上記スリーブフランジ部（４１）と弁トラップユニットフランジ部（２８）との間に、ケーシング（３）または各フランジ部（２８，４１）と略同径の筒状をなすスペーサ（６）を介在させた。
【０００８】
【発明の実施の形態】
図１及び図２に本発明の第１実施形態の排水用トラップ１を示す。図において、排水用トラップ１は、弁トラップユニット２と、該弁トラップユニット２を収容するケーシング３、スリーブ４、キャップ５より構成されている。
【０００９】
弁トラップユニット２は、短円筒体の下半分を斜に切除した形状をなす短管状体２１の傾斜した管口２２に開閉可能な揺動弁体２３を設けてなる。管口２２には、上端側を部分的に閉鎖する張出片２４を形成し、その両側に下方に突出した一対の突起２５，２５を設け、該突起２５，２５に渡設した支軸２６に揺動弁体２３は揺動自在に支持されている。
【００１０】
揺動弁体２３は、外形状が前記傾斜した管口２２と同形状の略楕円形状をなす弁主体部２３１とそれに連なる平板状の錘保持部２３２とで構成され、該錘保持部２３２にはバランスウェイト２７を固定している。また錘保持部２３２は弁主体部２３１に対して屈折して連設され、屈折部分には前記支軸２６を挿通する軸受部２３３を形成している。また、短管状体２１の上端部には径方向外方に張出したフランジ部２８を形成している。
【００１１】
ケーシング３は、弁トラップユニット２を収容すべく上記フランジ部２８と略同径の筒状体をなし、下端部には下流側排水管１２の上端部に接続可能な管状部３１を形成している。また、上端縁には上記フランジ部２８を収める段部３２を形成すると共に、上端側外周面に螺合部３３を形成している。尚、ケース３や弁トラップユニット２の短管状体２１は、外部から揺動弁体２３の状況が確認できるよう、プラスチック等の透明な部材で構成されることが好ましい。
【００１２】
スリーブ４は、上流側排水管１１の下端部に接続可能な管状体をなし、該管状体の下端部には、径方向外方に張出し上記ケーシング３と略同径のフランジ部４１を形成している。キャップ５は、上端蓋部５１の中央に前記スリーブ４の管状体部を挿通可能な開口部５２を有ると共に、上端蓋部５１の外周下側に連なる短円筒部５３の下端内周面にケーシング３の螺合部３３に対応する螺合部５４を形成している。また、キャップ５の外周面には、該キャップ５を把持して回動する際の滑り止め５５を形成している。
【００１３】
そして、弁トラップユニット２のフランジ部２８をケーシング３上端縁の段部３２に収め、弁トラップユニット２をケーシング３内に収容し、次いで、弁トラップユニット２のフランジ部２８にスリーブ４のフランジ部４１を重ねる一方、スリーブ４の管状体部をキャップ５の上端開口部５２に挿通し、該キャップ５でフランジ部４１及びフランジ部２８を包覆した状態で、キャップ５の螺合部５４を、ケーシング３の螺合部３３に螺合することにより、キャップ５上端蓋部５１とケーシング３上端縁段部３２との間にスリーブ４のフランジ部４１と弁トラップユニット２のフランジ部２８とが挟持され、弁トラップユニット２を収容するケーシング３、スリーブ４、キャップ５は一体となり排水用トラップ１を構成する。
【００１４】
以上の如く構成された排水用トラップ１は、排水が無い時はバランスウエイト２７の重量によって揺動弁体２３で管口２２は閉鎖され、下流側排水管１２側からの悪臭や害虫等の侵入は防止されるが、排水時には該排水の重量或いは流水圧で揺動弁体２３がバランスウエイト２７の重量に抗して開き、排水を流下させる。
【００１５】
そして、清掃やメンテナンス等で弁トラップユニット２をケーシング３から取り出す場合には、キャップ５を回動して螺合部５４を螺合部３３から外し、キャップ５を上方に持ち上げ、上流側排水管１１に接合されたスリーブ４を上方にスライドさせるか、または、上流側排水管１１に接合されたスリーブ４と下流側排水管１２に接合されたケーシング３とをずらして弁トラップユニット２を抜脱する。
【００１６】
上記実施形態は、上流側排水管１１に対してスリーブ４が完全に固定されていない場合、または、上流側排水管１１か下流側排水管１２のいずれか一方が完全に固定されていない場合、若しくは、固定を解除できる場合に限られ、上流側排水管１１にスリーブ４が完全に固定されている場合や、上流側排水管１１と下流側排水管１２とが壁面などに完全に固定されている場合には適用できない。そこで、そのような場合には、以下に述べる第２実施形態の排水用トラップ２０１を用いることになる。
【００１７】
図３及び図４は本発明の第２実施形態の排水用トラップ２０１を示すものであり、基本的な構成は第１実施形態の排水用トラップ１と同様であるため、同じ部材には同じ符号を付すことで説明を省略し、以下、差異点のみ説明する。
【００１８】
図において、排水用トラップ１ｂは、弁トラップユニット２とスリーブ４との間にスペーサ６が挿入され、キャップ５ｂはスペーサ６の寸法分だけ中心軸方向に延長されている。スペーサ６は、ケーシング３と略同径の筒状体をなし、基本的に弁トラップユニット２の高さ寸法を基準としそれと同程度以上の高さ寸法を要する。この構成により、キャップ５ｂを回動して螺合部５４を螺合部３３から外し、キャップ５ｂを上方に持ち上げれば、スペーサ６を側方に抜き出すことができ、スペーサ６によって空いた空間を利用して弁トラップユニット２を取り出すことができる。従って、上流側排水管１１と下流側排水管１２とが完全に固定され、且つ、上流側排水管１１にスリーブ４が接着等で固定されていても弁トラップユニット２を容易に取り出すことができる。
【００１９】
【発明の効果】
本発明排水用トラップは、上述の通り、上流側排水管の下端部に接続可能な管状体をなし該管状体の下端部に径方向外方に張出したフランジ部を形成したスリーブと、前記フランジ部と略同径の筒状体をなし下端部に下流側排水管の上端部に接続可能な管状部を有すると共に筒状体部の上端側外周面に螺合部を形成したケーシングと、短管状体の傾斜した管口に開閉可能な揺動弁体を設け且つ該揺動弁体を閉鎖方向に付勢するバランスウエイトを設けると共に上端部には径方向外方に張出し前記スリーブのフランジ部と略同径のフランジ部を形成した弁トラップユニットと、スリーブ管状体部を挿通可能な開口部を上端蓋部中央に有しその外周下側に連なる短円筒部にスリーブフランジ部及び弁トラップユニットフランジ部を収容可能であると共に該短円筒部下端内周面にケーシングの螺合部に対応する螺合部を形成したキャップとで構成され、ケーシング上端縁に弁トラップユニットフランジ部を接合して弁トラップユニットをケーシング内に収容し、更に、弁トラップユニットフランジ部にスリーブフランジ部を重ね、スリーブ管状体部を上端開口部に挿通したキャップでスリーブフランジ部及び弁トラップユニットフランジ部を包覆した状態で、キャップの螺合部をケーシングの螺合部に螺合し、キャップ上端蓋部とケーシング上端縁の間にスリーブフランジ部と弁トラップユニットフランジ部とが挟持されるようにしてそれらを一体としたので、キャップを回動してケーシングの螺合部から外し、該キャップを上方に持ち上げることで、弁トラップユニットを取り出すことができ、メンテナンや清掃を容易且つ確実に行なうことができる。
【００２０】
また、上記スリーブフランジ部と弁トラップユニットフランジ部との間に、ケーシングまたは各フランジ部と略同径の筒状をなすスペーサを介在させる構成を採用することにより、上流側排水管と下流側排水管とが完全に固定され、且つ、上流側排水管にスリーブが接着等で固定されていても弁トラップユニットを容易に取り出すことができる。
【図面の簡単な説明】
【図１】本発明第１実施形態の排水用トラップの装着状態を示す側断面図である。
【図２】（ａ）は本発明第１実施形態の排水用トラップの分解状態を示す斜視図、（ｂ）は組立状態を示す斜視図である。
【図３】本発明第２実施形態の排水用トラップの装着状態を示す側断面図である。
【図４】（ａ）は本発明第２実施形態の排水用トラップの分解状態を示す斜視図、（ｂ）は組立状態を示す斜視図である。
【符号の説明】
１  排水用トラップ
２  弁トラップユニット
３  ケーシング
４  スリーブ
５，５ｂ  キャップ
６  スペーサ
１１  上流側排水管
１２  下流側排水管
２１  短管状体
２２  管口
２３  揺動弁体
２７  バランスウエイト
２８，４１  フランジ部
３２  段部
３３，５４  螺合部
５２  開口部
【図１】
0003637492.tif 000002
【図２】
0003637492.tif 000003
【図３】
0003637492.tif 000004
【図４】
0003637492.tif 000005